(57)【特許請求の範囲】
【請求項１】
光記録媒体であって、
前記光記録媒体は、複数のアドレスブロックを含み、
前記アドレスブロックは、複数のセクタを含み、
前記セクタには、識別子が形成され、
前記識別子は、
１ビットで表現される、「０」である第１符号を表す第１パターンと、
１ビットで表現される、「１」である第２符号を表す第２パターンと、
１ビットで表現される、同期マークである第３符号を表す第３パターンとの少なくとも１つを含み、
前記複数のセクタのうちの１つである第１のセクタには、複数の前記第３パターンの識別子が形成され、
前記アドレスブロックにおいて、前記第１のセクタよりも後方のセクタには、前記第１パターンの識別子、または、前記第２パターンの識別子が形成され、
前記複数の前記第３パターンの識別子は、前記アドレスブロックのアドレス情報の開始位置を示し、
前記アドレス情報は、前記複数の前記第３パターンの識別子よりも後方のセクタに形成された前記識別子により表される光記録媒体。
【請求項２】
請求項１に記載の光記録媒体に形成された前記識別子を読み取ることで、前記アドレス情報を再生する再生方法。
【請求項３】
請求項１に記載の光記録媒体の前記アドレス情報に基づいて、情報を記録する、
記録方法。
【発明の詳細な説明】
【０００１】
【発明の属する技術分野】
【０００２】
（技術分野）
本発明は、収束された光ビームを記録媒体上に照射し、記録媒体からの反射光を検知し
て情報を再生する光学式記録媒体（光記録媒体）に関するものである。
【従来の技術】
【０００３】
（背景技術）
近年、光ディスクは映像用途としての要望が高く、より高画質、長時間の映像記録を行えるように、高密度化、高速化が望まれている。そのためには、より微細な情報が記録できるような記録媒体の開発も重要であるが、直接情報容量に寄与しない部分、例えばアドレス領域などといった、いわゆるオーバーヘッド領域の削減が必須となる。
【０００４】
図１３は、従来の光ディスクに照射される光ビームが追従するトラックのディスク上の構成図である（例えば、「日経エレクトロニクス」１９９７年１０月２０日号１６７頁−１８６頁に記載されているＤＶＤ−ＲＡＭフォーマットの光ディスク）。図１３において、９０１は情報単位であるセクタ、９０２は光ディスク製造時にピット形状で記録され書き換え不可能なアドレス情報を示す識別情報部、９０３は情報の記録再生が可能な記録再生部を示す。記録再生部９０３には溝状のグルーブトラック９０４と前記グルーブトラック９０４の間に挟まれたランドトラック９０５が形成されており、情報は前記ランドトラック９０５とグルーブトラック９０４とに記録することが可能である。また識別情報部９０２は、光ディスク製造時にピット形状で記録され書き換え不可能なヘッダ部９０６と鏡面部９０７とを含む。
【０００５】
従来の光ディスクの１セクタ内の配置を図１４を用いて説明する。光ディスク上には記録再生の最小単位であるセクタ９０１が連なっている。セクタ９０１は、１２８バイトの長さを持つヘッダ部９０６と２バイトのミラー部１００５とを含む識別情報部９０２と、２５６７バイトの記録再生部９０３との合計２６９７バイトによって構成されている。また、記録再生部９０３は、ユーザデータが記録されるデータ部１００７と、記録されたユーザデータを再生するために必要なＰＬＬ（Ｐｈａｓｅ  Ｌｏｏｋｅｄ  Ｌｏｏｐ）を引き込むためのＶＦＯ（Ｖａｒｉａｂｌｅ  Ｆｒｅｑｕｅｎｃｙ  Ｏｓｃｉｌｌａｔｏｒ）が記録される余裕領域であるバッファ表す付属部１００６と付属部１００８とを含む。
【０００６】
従来の光ディスクにおいては、光ビームがディスク上のどの部分のどのセクタを追従しているかを認識するために、ヘッダ部９０６に位置情報が記録される。ここで、ヘッダ部９０６に記録されている位置情報はそのヘッダ部９０６に対応するセクタ９０１の位置情報を示している。つまり、アドレス”１２３４５６”で特定されるセクタ９０１のヘッダ部９０６には”１２３４５６”という位置情報が記録されている。
【０００７】
また、この位置情報自体は４バイトの長さであるが、位置情報が正しく再生されたかどうかを確認するために２バイトのエラー検出符号が付加されている。また、位置情報を表す情報は記録再生部９０３に記録されるユーザデータと同じ密度で記録されているため、ユーザデータと同様にＰＬＬを用いて再生する必要があり、ＶＦＯが記録されている。さらに、コンピュータの周辺機器用途としての信頼性を強固にするために４重に記録され、位置情報は全体として計１２８バイトもの長さとなっている。
【発明が解決しようとする課題】
【０００８】
しかしながら、上述の従来技術においては、以下のような問題がある。すなわち、従来の光ディスクの場合、例えば２０４８バイトのユーザデータを１つのセクタに記録する場合、光ビームがディスク上のどの部分のどのセクタを追従しているかを認識するために、１２８バイトのヘッダ部９０６と、ヘッダ部９０６と記録再生部９０３と間の境界を表す２バイトのミラー部９０７と、記録再生部９０３に記録するため、ＰＬＬを引き込むためあるいは、記録データの余裕領域などに用いられている付属部１００６の６８バイトおよび付属部１００８の８１バイトが必要となっている。
【０００９】
また、ＤＶＤの場合、エラー訂正のために記録データ自体に変調をかけている。８−１６変調を行う場合、２４１８バイトのデータ部１００７が必要になる。このようにして２０４８バイトのユーザデータをディスク上に記録しようとすると合計２６９７バイトの大きさを有するセクタが必要になっている。つまりフォーマット効率は２０４８／２６９７＝０．７５９となり、ディスク上に信号を記録する際のディスク利用効率（フォーマット効率）は７５．９％である。つまり２４．１％も冗長を含んだフォーマットとなっている。
【００１０】
例えば４．７ＧＢの容量のデータを記録する場合、フォーマット効率１００％の場合と前述のように７５．９％のフォーマット効率では、フォーマット効率が低い後者の場合に単位面積あたりにたくさんの情報を詰め込まなければならず、そのため、記録再生信号の品質を前者に比べて劣化させるという課題が存在した。
【００１１】
本発明は、上記課題を解決するためになされたものであり、その目的とするところは、フォーマット効率の高いディスクフォーマットを作成することによって、ヘッダ部や付属部に費やされていた冗長度を少なくすることで、同一の大きさの光記録媒体により多くのデータを記録することが可能な光記録媒体を提供することにある。
【課題を解決するための手段】
【００１２】
（発明の開示）
本発明に係る光記録媒体は、アドレス情報に関連する複数の識別子が形成された光記録媒体であって、前記各識別子は、前記光記録媒体上に形成され、１ビットで表現される第１符号を表す第１パターンと、前記光記録媒体上に形成され、１ビットで表現される第２符号を表す第２パターンと、前記光記録媒体上に形成され、１ビットで表現される第３符号を表す第３パターンとの少なくとも１つを含み、そのことにより上記目的が達成される。
【００１３】
前記第１符号は、「０」を含み、前記第２符号は、「１」を含み、前記第３符号は、同期マークを表す「Ｓ」を含んでもよい。
【００１４】
前記各識別子は、前記光記録媒体上に形成される１つ以上のプリピットとマークとのいずれかと前記光記録媒体上に形成されるスペースとの少なくとも一方を含んでもよい。
【００１５】
前記第１、第２および第３パターンは、前記光記録媒体上に形成される第１プリピットを含み、前記第１および第２パターンは、前記光記録媒体上に形成される第１および第２プリピットと前記第１および第２プリピットの間に形成される第１スペースをさらに含み、前記第１プリピットは長さＰ１を有し、前記第２プリピットは長さＰ２を有し、前記第１パターンは、Ｐ１＞Ｐ２の関係を満足し、前記第２パターンは、Ｐ１＜Ｐ２の関係を満足してもよい。
【００１６】
前記スペースは長さＳ１を有し、前記第１パターンは、Ｐ１＝８×Ｔｗ、Ｓ１＝４×ＴｗおよびＰ２＝４×Ｔｗ、の関係を満足し、前記第２パターンは、Ｐ１＝４×Ｔｗ、Ｓ１＝４×ＴｗおよびＰ２＝８×Ｔｗ、の関係を満足し、前記第３パターンは、Ｐ１＝１６×Ｔｗ、の関係を満足し、ここで、Ｔｗ：検出窓幅であってもよい。
【００１７】
前記第３パターンは、前記光記録媒体上に形成される第３プリピットと前記第３プリピットの直後に形成される第２スペースとを含む第４パターンと、前記光記録媒体上に形成される第３プリピットと前記第３プリピットの直前に形成される第２スペースとを含む第５パターンとをさらに含んでもよい。
【００１８】
前記第２スペースは、長さＳ２を有し、前記第４パターンおよび前記第５パターンは、Ｐ１＝１２×Ｔｗ、Ｓ２＝４×Ｔｗの関係を満足してもよい。
【００１９】
前記光記録媒体は、情報を記録するための第１および第２情報面を有し、前記第３符号は、前記第１情報面に記録される第１同期マークを表す符号「Ｓ１」と、前記第２情報面に記録される第２同期マークを表す符号「Ｓ２」とを含み、前記第４パターンは、前記符号「Ｓ１」を表し、前記第５パターンは、前記符号「Ｓ２」を表してもよい。
【００２０】
前記第１、第２および第３パターンは、前記光記録媒体上に形成される第１スペースを含み、前記第１および第２パターンは、前記光記録媒体上に形成される第２スペースと前記第１および第２スペースの間に形成されるプリピットをさらに含み、前記第１スペースは長さＰ１を有し、前記第２スペースは長さＰ２を有し、前記第１パターンは、Ｐ１＞Ｐ２の関係を満足し、前記第２パターンは、Ｐ１＜Ｐ２の関係を満足してもよい。
【００２１】
前記プリピットは長さＳ１を有し、前記第１パターンは、Ｐ１＝８×Ｔｗ、Ｓ１＝４×ＴｗおよびＰ２＝４×Ｔｗ、の関係を満足し、前記第２パターンは、Ｐ１＝４×Ｔｗ、Ｓ１＝４×ＴｗおよびＰ２＝８×Ｔｗ、の関係を満足し、前記第３パターンは、Ｐ１＝１６×Ｔｗ、の関係を満足し、ここで、Ｔｗ：検出窓幅であってもよい。
【００２２】
前記第１、第２および第３パターンは長さＴ１を有し、前記第１パターンは、前記光記録媒体上に形成される第１スペースと、前記光記録媒体上に形成され前記第１スペースの直後に配置される第１プリピットとを含み、前記第２パターンは、前記光記録媒体上に形成される第２スペースと、前記光記録媒体上に形成され前記第２スペースの直後に配置される第２プリピットとを含み、前記第３パターンは、前記光記録媒体上に形成される第３スペースと、前記光記録媒体上に形成され前記第３スペースの直後に配置される第３プリピットとを含み、前記第１、第２および第３スペースは互いに異なる長さＰ１、Ｐ２およびＰ３をそれぞれ有してもよい。
【００２３】
前記長さＴ１＝２４×Ｔｗであり、前記第１スペースは、長さＰ１＝８×Ｔｗの関係を満足し、前記第２スペースは、長さＰ２＝１２×Ｔｗの関係を満足し、前記第３スペースは、長さＰ３＝１６×Ｔｗ、の関係を満足し、ここで、Ｔｗ：検出窓幅であってもよい。
【００２４】
前記第１、第２および第３パターンは長さＴ１を有し、前記第１パターンは、前記光記録媒体上に形成される第１プリピットと、前記光記録媒体上に形成され前記第１プリピットの直後に配置される第１スペースとを含み、前記第２パターンは、前記光記録媒体上に形成される第２プリピットと、前記光記録媒体上に形成され前記第２プリピットの直後に配置される第２スペースとを含み、前記第３パターンは、前記光記録媒体上に形成される第３プリピットと、前記光記録媒体上に形成され前記第３プリピットの直後に配置される第３スペースとを含み、前記第１、第２および第３プリピットは互いに異なる長さＰ１、Ｐ２およびＰ３をそれぞれ有してもよい。
【００２５】
前記長さＴ１＝２４×Ｔｗであり、前記第１プリピットは、長さＰ１＝１２×Ｔｗの関係を満足し、前記第２プリピットは、長さＰ２＝１６×Ｔｗの関係を満足し、前記第３プリピットは、長さＰ３＝２０×Ｔｗ、の関係を満足し、ここで、Ｔｗ：検出窓幅であってもよい。
【００２６】
前記光記録媒体は、前記アドレス情報に関連する複数のセクタから構成されるアドレスブロックを含み、前記各セクタは、識別情報部と記録再生部とを含み、前記各識別情報部は、ヘッダ部を含み、前記各識別子は、前記各ヘッダ部に形成されてもよい。
【００２７】
前記アドレス情報は、前記アドレスブロックのアドレスを表し、前記アドレス情報は、前記アドレスブロックに記録され、前記アドレス情報は、前記第１、第２及び第３符号を組み合わせることで構成されてもよい。
【００２８】
前記各ヘッダ部の少なくとも１つに複数の前記識別子が形成されてもよい。
【００２９】
前記光記録媒体は、トラック１周に形成される前記識別情報部の数が互いに異なる複数のゾーンを有し、前記ゾーンの間の境界に位置する前記セクタは、前記セクタに情報を記録することを無効とする無効領域として設定され、前記無効領域内に存在する前記各セクタの前記各識別情報部に形成される前記各識別子は、前記第３符号を表す前記第３パターンを含んでもよい。
【００３０】
前記光記録媒体は、同心円または連続スパイラル状のランドとグルーブとを有し、前記ランドと前記グルーブとの少なくとも一方に情報が記録され、前記各セクタは、前記ランドに形成されるランドセクタと前記グルーブに形成されるグルーブセクタとを含んでもよい。
【００３１】
前記ランドと前記グルーブとは、ランドトラック中心線とグルーブトラック中心線とをそれぞれ有し、前記各識別子は、前記ランドトラック中心線と前記グルーブトラック中心線とのいずれかに対して内周側および外周側に所定の距離をおいて配置され、前記各識別子は、前記ランドトラック中心線に対して互いに対称な位置に存在しないように配置され、前記各識別子は、前記グルーブトラック中心線に対して互いに対称な位置に存在しないように配置されてもよい。
【００３２】
前記グルーブトラック中心線に対して内周側に配置された前記識別子のうちの１つと、前記グルーブトラック中心線に対して外周側に配置された前記識別子のうちの１つとが等しくてもよい。
【００３３】
前記ランドトラック中心線に対して内周側に配置された前記識別子のうちの１つと、前記ランドトラック中心線に対して外周側に配置された前記識別子のうちの１つとが等しくてもよい。
【００３４】
前記アドレス情報は、パリティビットを含んでもよい。
【００３５】
前記光記録媒体は、情報を記録するための複数の情報面を有し、前記アドレス情報は、前記情報面を識別するための層番号を含んでもよい。
【００３６】
本発明に係る光再生装置は、アドレス情報に関連する複数の識別子が形成された光記録媒体であって、前記各識別子は、前記光記録媒体上に形成され、１ビットで表現される第１符号を表す第１パターンと、前記光記録媒体上に形成され、１ビットで表現される第２符号を表す第２パターンと、前記光記録媒体上に形成され、１ビットで表現される第３符号を表す第３パターンとの少なくとも１つを含む光記録媒体に記録された情報を再生する光再生装置であって、前記光記録媒体に光ビームを絞った光スポットを当てる半導体レーザと、前記光記録媒体上で反射された前記光ビームを受光し、前記光ビームの光量に応じた電圧信号を出力する光検出手段と、前記光検出手段により出力された前記電圧信号に基づいて前記アドレス情報を検出するアドレス検出手段とを備え、そのことにより上記目的が達成される。
【００３７】
本発明に係る光再生方法は、アドレス情報に関連する複数の識別子が記録された光記録媒体であって、前記各識別子は、前記光記録媒体上に形成され、１ビットで表現される第１符号を表す第１パターンと、前記光記録媒体上に形成され、１ビットで表現される第２符号を表す第２パターンと、前記光記録媒体上に形成され、１ビットで表現される第３符号を表す第３パターンとの少なくとも１つを含む光記録媒体に記録された情報を再生する光再生方法であって、前記光記録媒体に光ビームを絞った光スポットを当てるステップと、前記光記録媒体上で反射された前記光ビームを受光し、前記光ビームの光量に応じた電圧信号を出力するステップと、前記電圧信号に基づいて前記アドレス情報を検出するステップとを包含し、そのことにより上記目的が達成される。
【発明の実施の形態】
【００３８】
（発明を実施するための最良の形態）
（参考例１）
以下、本発明の参考例１について、図面を参照しながら説明する。図１に本発明の参考例１における光ディスク（光記録媒体）の構成図を示す。図１は光ディスク上に同心円あるいはスパイラル状に形成されたトラック１００の構成の一部を示したものである。
【００３９】
図１を参照して、トラック１００は、複数のアドレスブロック１０８を含む。アドレスブロック１０８は、グルーブセクタ部１１０とランドセクタ部１０９とを含む。ランドセクタ部１０９は、複数のランドセクタ１０９Ａ、１０９Ｂ、１０９Ｃおよび１０９Ｄを含む。グルーブセクタ部１１０は、複数のグルーブセクタ１１０Ａ、１１０Ｂ、１１０Ｃおよび１１０Ｄを含む。各ランドセクタ１０９Ａ、１０９Ｂ、１０９Ｃおよび１０９Ｄは、識別情報部１１１と記録再生部１１２とを含む。各グルーブセクタ１１０Ａ、１１０Ｂ、１１０Ｃおよび１１０Ｄは、識別情報部１１１と記録再生部１１２とを含む。
【００４０】
各グルーブセクタ１１０Ａ、１１０Ｂ、１１０Ｃおよび１１０Ｄの記録再生部１１２には、グルーブトラック１０１が形成されている。各ランドセクタ１０９Ａ、１０９Ｂ、１０９Ｃおよび１０９Ｄの記録再生部１１２には、ランドトラック１０２が形成されている。ここで、グルーブトラックとは、あらかじめスパイラル状に形成されている案内溝であり、ランドトラックとは、前記グルーブトラックとグルーブトラックとの間に挟まれた、溝間のトラックのことをいう。
【００４１】
各ランドセクタ１０９Ａ、１０９Ｂ、１０９Ｃおよび１０９Ｄ内の各識別情報部１１１においてランドトラック中心線Ｃ２に対して内周側にシフトした位置には第１識別子（ＩＤ）１０６が記録される。各グルーブセクタ１１０Ａ、１１０Ｂ、１１０Ｃおよび１１０Ｄ内の各識別情報部１１１においてグルーブトラック中心線Ｃ１に対して内周側にシフトした位置には第２識別子（ＩＤ）１０７が記録される。
【００４２】
ランドセクタ部１０９の位置を表すアドレス情報は、各ランドセクタ１０９Ａ、１０９Ｂ、１０９Ｃおよび１０９Ｄ内の識別情報部１１１に記録される各第１識別子１０６に分散して割り当てられる。グルーブセクタ部１１０の位置を表すアドレス情報は、各グルーブセクタ１１０Ａ、１１０Ｂ、１１０Ｃおよび１１０Ｄ内の識別情報部１１１に記録される各第２識別子１０７に分散して割り当てられる。
【００４３】
ランドセクタ部１０９の位置を表すアドレス情報の一部を各第１識別子１０６に割り当て、グルーブセクタ部１１０の位置を表すアドレス情報の一部を各第２識別子１０７に割り当てた例を図１に示す。ここで、ランドセクタ部１０９の位置を表すアドレス情報の一部を各第２識別子１０７に割り当て、グルーブセクタ部１１０の位置を表すアドレス情報の一部を各第１識別子１０６に割り当てても構わない。
【００４４】
ランドセクタ部１０９の位置を表すアドレス情報は、複数の連続したランドセクタ１０９Ａ、１０９Ｂ、１０９Ｃおよび１０９Ｄ内の各識別情報部１１１に記録された各第１識別子１０６から構成されている。図１に示す例では、ランドセクタ部１０９の位置を表すアドレス情報は４つの連続したランドセクタ１０９Ａ、１０９Ｂ、１０９Ｃおよび１０９Ｄに記録された各第１識別子１０６を読み出すことにより、１つのアドレス情報が得られる。グルーブセクタ部１１０の位置を表すアドレス情報は、複数の連続したグルーブセクタ１１０Ａ、１１０Ｂ、１１０Ｃおよび１１０Ｄ内の各識別情報部１１１に記録された各第２識別子１０７から構成されている。図１に示す例では、グルーブセクタ部１１０の位置を表すアドレス情報は４つの連続したグルーブセクタ１１０Ａ、１１０Ｂ、１１０Ｃおよび１１０Ｄに記録された各第２識別子１０７を読み出すことにより、１つのアドレス情報が得られる。アドレス情報が完結するセクタ群をまとめてアドレスブロックと呼ぶ。
【００４５】
次にアドレス情報の構成について図２を用いて説明する。ランドセクタ部１０９の位置を表すアドレス情報を例に挙げて説明する。グルーブセクタ部１１０の位置を表すアドレス情報の構成もランドセクタ部１０９の位置を表すアドレス情報の構成と同様である。前述したようにランドセクタ部１０９は、ランドセクタ１０９Ａ、１０９Ｂ、１０９Ｃおよび１０９Ｄを含む。各ランドセクタ１０９Ａ、１０９Ｂ、１０９Ｃおよび１０９Ｄは、識別情報部１１１と記録再生部１１２とを含む。
【００４６】
ランドセクタ１０９Ａの識別情報部１１１には、アドレス情報の一部として同期マークを表す符号「Ｓ」に対応するパターンが形成されている。符号「Ｓ」に対応するパターンを読み取ることでアドレスブロックが開始される位置（開始セクタ位置）であることが識別される。
【００４７】
ランドセクタ１０９Ｂの識別情報部１１１には、アドレス情報の一部として符号「１」に対応するパターンが形成されている。ランドセクタ１０９Ｃの識別情報部１１１には、アドレス情報の一部として符号「０」に対応するパターンが形成されている。ランドセクタ１０９Ｄの識別情報部１１１には、アドレス情報の一部として符号「０」に対応するパターンが形成されている。
【００４８】
図２の場合、４つのランドセクタ１０９Ａ、１０９Ｂ、１０９Ｃおよび１０９Ｄで１個のアドレスブロックが構成されており、ランドセクタ１０９Ａから順に符号「Ｓ」、符号「１」、符号「０」、符号「０」が記録されているので、前記アドレスアドレスブロックのランドセクタ部１０９の位置を表すアドレス情報はこれらをまとめて「Ｓ１００」となる。ここで識別符号「Ｓ」はアドレス情報の開始位置であることを示し、符号「Ｓ」に続く３つの符号「１」または符号「０」が２進数の情報となりこれがランドセクタ部１０９の位置を表す実質的なアドレス情報となる。例えば前記「Ｓ１００」の場合、１０進数表記に改めると「４」となり、ランドセクタ部１０９の位置を表すアドレスが第４番地であることを識別できる。
【００４９】
各第１識別子１０６が記録される領域の物理構成について図３を用いて説明する。図３の左側から右側に向かって光スポット３０１が走査される。第１パターン３０２は符号「０」を表す。第２パターン３０３は符号「１」を表す。第３パターン３０４は符号「Ｓ」を表す。
【００５０】
符号「０」を表す第１パターン３０２は、２つのプリピット３０５Ａおよび３０５Ｂとプリピット３０５Ａおよび３０５の間に挟まれたスペース３０６を含む。プリピット３０５Ａおよび３０５Ｂは、長さＰ１およびＰ２をそれぞれ有する。長さＰ１は検出窓幅Ｔｗの８倍の長さに相当する。長さＰ２は検出窓幅Ｔｗの４倍の長さに相当する。スペース３０６の長さＳ１は検出窓幅Ｔｗの４倍の長さに相当する。ここで、長さＰ１と長さＰ２の長さの大小関係はＰ１＞Ｐ２となっている。またＳ１＝Ｐ２となっている。
【００５１】
符号「１」を表す第２パターン３０３は、２つのプリピット３０５Ａおよび３０５Ｂとプリピット３０５Ａおよび３０５の間に挟まれたスペース３０６を含む。プリピット３０５Ａおよび３０５Ｂは、長さＰ１およびＰ２をそれぞれ有する。長さＰ１は検出窓幅Ｔｗの４倍の長さに相当する。長さＰ２は検出窓幅Ｔｗの８倍の長さに相当する。スペース３０６の長さＳ１は検出窓幅Ｔｗの４倍の長さに相当する。ここで、長さＰ１と長さＰ２の長さの大小関係はＰ１＜Ｐ２となっている。またＳ１＝Ｐ１となっている。
【００５２】
符号「Ｓ」を表す第３パターン３０４は、１つのプリピット３０５Ａを含む。プリピット３０５Ａは、長さＰ１を有する。長さＰ１は検出窓幅Ｔｗの１６倍の長さに相当する。
【００５３】
符号「０」、符号「１」、符号「Ｓ」は長さＰ１、長さＰ２の大小関係によって次のように割り当てられる。
【００５４】
（１）Ｐ１＞Ｐ２：符号「０」。
【００５５】
（２）Ｐ１＜Ｐ２：符号「１」。
【００５６】
（３）Ｐ１のみ（Ｐ２＝０）：符号「Ｓ」。
【００５７】
ここで、長さＰ１と長さＰ２として４Ｔｗ、８Ｔｗ、１６Ｔｗの長さを用いたが、この数値にこだわる必要はなく、ディスク上に照射される光スポットのサイズに応じて決めることが可能である。
【００５８】
再生時において、長さＰ１および長さＰ２の違いを再生波形から判別することで、符号の識別を行う。
【００５９】
図３では各第１識別子１０６が記録される領域の物理構成を例に挙げて説明したが、各第２識別子１０７が記録される領域の物理構成も図３に示す各第１識別子１０６が記録される領域の物理構成と同様である。
【００６０】
次に図４を用いてアドレスブロックの構造について述べる。前述したようにアドレスブロック１０８は、ランドセクタ部１０９とグルーブセクタ部１１０とを含む。ランドセクタ部１０９とグルーブセクタ部１１０とは同一の構造を有する。簡潔に説明するためにランドセクタ部１０９の構造を例に挙げて説明する。
【００６１】
図４を参照して、ランドセクタ部１０９は、ランドセクタ１０９Ａ、１０９Ｂ、１０９Ｃおよび１０９Ｄを含む。ランドセクタ１０９Ａ、１０９Ｂ、１０９Ｃおよび１０９Ｄは同一の構造を有する。簡潔に説明するためにランドセクタ１０９Ａの構造を例に挙げて説明する。ランドセクタ１０９Ａは、識別情報部１１１と記録再生部１１２とを含む。識別情報部１１１は、４バイトの長さを持つヘッダ部４０１と、２バイトの長さをもつミラー部４０２（鏡面部）とを含む。ヘッダ部４０１は、図３で示したようなプリピットあるいはマークとスペースとで構成されている。
【００６２】
記録再生部１１２は、８×１６変調された２４１８バイトの長さをもつデータ部４０３と、データ部４０３に記録された信号を再生するために必要なＰＬＬ（Ｐｈａｓｅ  Ｌｏｏｋｅｄ  Ｌｏｏｐ）を引き込むためのＶＦＯ（Ｖａｒｉａｂｌｅ  Ｆｒｅｑｕｅｎｃｙ
Ｏｓｃｉｌｌａｔｏｒ）領域と余裕領域であるバッファとを含む１３バイトの付属部４０４と２６バイトの付属部４０５とを含む。
【００６３】
２０４８バイトのユーザデータを記録する場合、上述の識別情報部１１１が有する６バイト、記録再生部１１２が有する２４５７バイトの合わせて２４６３バイトのセクタ長が必要になっている。つまりフォーマット効率は２０４８／２４６３＝０．８３２となり、ディスク上に信号を記録する際のディスク利用効率（フォーマット効率）は８３．２％である。つまり１６．８％の冗長を含んだフォーマットとなった。これは、従来の光ディスクのフォーマットでの冗長度２４．１％にくらべ１割程度小さくなっている。
【００６４】
本参考例１では第１識別子１０６および第２識別子１０７が記録される領域において、２つのプリピットと１つのスペースとの組み合わせを符号「０」、符号「１」および符号「Ｓ］に対応させる例を説明をしたが、前記プリピットとスペースを入れ替えて２つのスペースと１つのプリピットの組み合わせを符号「０」、符号「１」および符号「Ｓ］に対応させても同様の結果が得られることはいうまでもない。
【００６５】
以上のように第１識別子１０６および第２識別子１０７の符号を識別するために、長さＰ１、長さＰ２、長さＳ１をそれぞれ有する２つのプリピットまたはマークと１つのスペースとを用いることで従来１２８バイト用いていたヘッダ部を４バイトに短くすることが可能になり、ヘッダ部による冗長度を少なくしたフォーマットが可能になり、光ディスクの記録容量を飛躍的に増大させる効果がある。
【００６６】
（参考例２）
以下、本発明の参考例２について、図面を参照しながら説明する。図５に本発明の参考例２における光ディスクの構成図を示す。図５は光ディスク上に同心円あるいはスパイラル状に形成されたトラック５００の構成の一部を示したものである。図１を参照して前述した光ディスク上に形成されたトラック１００の構成要素と同一の構成要素には同一の参照符号を付している。これらの構成要素の詳細な説明は省略する。
【００６７】
図５を参照して、トラック５００は、複数のアドレスブロック１０８を含む。アドレスブロック１０８は、グルーブセクタ部１１０とランドセクタ部１０９とを含む。ランドセクタ部１０９は、複数のランドセクタ１０９Ａ、１０９Ｂ、１０９Ｃおよび１０９Ｄを含む。グルーブセクタ部１１０は、複数のグルーブセクタ１１０Ａ、１１０Ｂ、１１０Ｃおよび１１０Ｄを含む。各ランドセクタ１０９Ａ、１０９Ｂ、１０９Ｃおよび１０９Ｄは、識別情報部１１１と記録再生部１１２とを含む。各グルーブセクタ１１０Ａ、１１０Ｂ、１１０Ｃおよび１１０Ｄは、識別情報部１１１と記録再生部１１２とを含む。
【００６８】
各グルーブセクタ１１０Ａ、１１０Ｂ、１１０Ｃおよび１１０Ｄの記録再生部１１２には、グルーブトラック１０１が形成されている。各ランドセクタ１０９Ａ、１０９Ｂ、１０９Ｃおよび１０９Ｄの記録再生部１１２には、ランドトラック１０２が形成されている。
【００６９】
各ランドセクタ１０９Ａ、１０９Ｂ、１０９Ｃおよび１０９Ｄ内の各識別情報部１１１においてランドトラック中心線Ｃ２に対して内周側にシフトした位置には第１識別子５０６と第２識別子５０７とが記録される。各グルーブセクタ１１０Ａ、１１０Ｂ、１１０Ｃおよび１１０Ｄ内の各識別情報部１１１においてグルーブトラック中心線Ｃ１に対して内周側にシフトした位置には第３識別子５０９と第４識別子５１０とが記録される。
【００７０】
ランドセクタ部１０９に記録された第１識別子５０６と第４識別子５１０とを説明する。ランドセクタ１０９Ａの第１識別子５０６とランドトラック中心線Ｃ２に対して第１識別子５０６と反対側に記録されるランドセクタ１０９Ｂの第４識別子５１０とには、同一の符号「Ｓ」を表すパターンがプリピットあるいはマークとスペースの形で形成されている。ランドセクタ１０９Ｂの第１識別子５０６とランドトラック中心線Ｃ２に対して第１識別子５０６と反対側に記録されるランドセクタ１０９Ｃの第４識別子５１０とには、同一の符号「１」を表すパターンがプリピットあるいはマークとスペースの形で形成されている。
【００７１】
以下ランドセクタ１０９Ｃ、１０９Ｄには同様の規則で第１識別子５０６および第４識別子５１０が割り当てられている。
【００７２】
次にグルーブセクタ部１１０に記録された第３識別子５０９と第２識別子５０７とを説明する。グルーブセクタ１１０Ａの第３識別子５０９とグルーブトラック中心線Ｃ１に対して第３識別子５０９と反対側に記録されるグルーブセクタ１１０Ｂの第２識別子５０７とには、同一の符号「Ｓ」を表すパターンがプリピットあるいはマークとスペースの形で形成されている。グルーブセクタ１１０Ｂの第３識別子５０９とグルーブトラック中心線Ｃ１に対して第３識別子５０９と反対側に記録されるグルーブセクタ１１０Ｃの第２識別子５０７とには、同一の符号「１」を表すパターンがプリピットあるいはマークとスペースの形で形成されている。
【００７３】
以下グルーブセクタ１１０Ｃ、１１０Ｄには同様の規則で第３識別子５０９および第２識別子５０７が割り当てられている。
【００７４】
ここで、ランドセクタ部１０９のアドレス情報の一部を第１識別子５０６と第４識別子５１０とに割り当て、グルーブセクタ部１１０のアドレス情報の一部を第３識別子５０９と第２識別子５０７とに割り当てたが、その他の組み合わせでもよい。例えばランドセクタ部１０９のアドレス情報の一部を第２識別子５０７と第３識別子５０９とに割り当て、グルーブセクタ部１１０のアドレス情報の一部を第１識別子５０６と第４識別子５１０とに割り当てても構わない。
【００７５】
アドレス情報の構成については、本発明の参考例１と同様で、図２に示した通りである。ＩＤの物理構成については、本発明の参考例１と同様で、図３に示した通りである。アドレスブロックの構造については、本発明の参考例１と同様で、図４に示した通りである。
【００７６】
以上のように識別情報部１１１に記録された識別子の符号の識別に長さＰ１、長さＰ２、長さＳ１をそれぞれ有する２つのプリピットまたはマークと１つのスペースとを用いることで従来１２８バイト用いていたヘッダ部を４バイトに短くすることが可能になり、ヘッダ部による冗長度を少なくしたフォーマットが可能になり、光ディスクの記録容量を飛躍的に増大させる効果がある。
【００７７】
（実施の形態１）
以下、本発明の実施の形態１について、図面を参照しながら説明する。図６に本発明の実施の形態１における光ディスクの構成を示す。図６は光ディスク上に同心円あるいはスパイラル状に形成されたトラック６００の構成の一部を示したものである。図１を参照して前述した光ディスク上に形成されたトラック１００の構成要素と同一の構成要素には同一の参照符号を付している。これらの構成要素の詳細な説明は省略する。
【００７８】
図６を参照して、トラック６００は、複数のアドレスブロック１０８を含む。アドレスブロック１０８は、グルーブセクタ部１１０とランドセクタ部１０９とを含む。ランドセクタ部１０９は、複数のランドセクタ１０９Ａ、１０９Ｂ、１０９Ｃおよび１０９Ｄを含む。グルーブセクタ部１１０は、複数のグルーブセクタ１１０Ａ、１１０Ｂ、１１０Ｃおよび１１０Ｄを含む。各ランドセクタ１０９Ａ、１０９Ｂ、１０９Ｃおよび１０９Ｄは、識別情報部１１１と記録再生部１１２とを含む。各グルーブセクタ１１０Ａ、１１０Ｂ、１１０Ｃおよび１１０Ｄは、識別情報部１１１と記録再生部１１２とを含む。
【００７９】
各グルーブセクタ１１０Ａ、１１０Ｂ、１１０Ｃおよび１１０Ｄの記録再生部１１２には、グルーブトラック１０１が形成されている。各ランドセクタ１０９Ａ、１０９Ｂ、１０９Ｃおよび１０９Ｄの記録再生部１１２には、ランドトラック１０２が形成されている。
【００８０】
各ランドセクタ１０９Ａ、１０９Ｂ、１０９Ｃおよび１０９Ｄ内の各識別情報部１１１においてランドトラック中心線Ｃ２に対して内周側にシフトした位置には第１識別子６０６と第２識別子６０７とが記録される。各グルーブセクタ１１０Ａ、１１０Ｂ、１１０Ｃおよび１１０Ｄ内の各識別情報部１１１においてグルーブトラック中心線Ｃ１に対して内周側にシフトした位置には第３識別子６０９と第４識別子６１０とが記録される。
【００８１】
ランドセクタ部１０９に記録された第１識別子６０６と第２識別子６０７とを説明する。ランドセクタ１０９Ａの第１識別子６０６と第２識別子６０７とには、同一の符号「Ｓ」を表すパターンがプリピットあるいはマークとスペースの形で形成されている。ランドセクタ１０９Ｂの第１識別子６０６と第２識別子６０７とには、同一の符号「１」を表すパターンがプリピットあるいはマークとスペースの形で形成されている。以下ランドセクタ１０９Ｃ、１０９Ｄには同様の規則で第１識別子６０６および第２識別子６０７が割り当てられている。
【００８２】
次にグルーブセクタ部１１０に記録された第３識別子６０９と第４識別子６１０とを説明する。グルーブセクタ１１０Ａの第３識別子６０９と第４識別子６１０とには、同一の符号「Ｓ」を表すパターンがピットあるいはマークとスペースの形で形成されている。グルーブセクタ１１０Ｂの第３識別子６０９と第４識別子６１０とには、同一の符号「１」を表すパターンがピットあるいはマークとスペースの形で形成されている。以下グルーブセクタ１１０Ｃ、１１０Ｄには同様の規則で第３識別子６０９および第４識別子６１０が割り当てられている。
【００８３】
ここで、ランドセクタ部１０９のアドレス情報の一部を第１識別子６０６と第２識別子６０７とに割り当て、グルーブセクタ部１１０のアドレス情報の一部を第３識別子６０９と第４識別子６１０とに割り当てたが、その他の組み合わせでもよい。例えばランドセクタ部１０９のアドレス情報の一部を第３識別子６０９と第４識別子６１０とに割り当て、グルーブセクタ部１１０のアドレス情報の一部を第１識別子６０６と第２識別子６０７とに割り当てても構わない。
【００８４】
アドレス情報の構成については、本発明の参考例１と同様で、図２に示した通りである。ＩＤの物理構成については、本発明の参考例１と同様で、図３に示した通りである。アドレスブロックの構造については、本発明の参考例１と同様で、図４に示した通りである。
【００８５】
以上のように識別情報部１１１に記録された識別子の符号の識別に長さＰ１、長さＰ２、長さＳ１をそれぞれ有する２つのプリピットまたはマークと１つのスペースとを用いることで従来１２８バイト用いていたヘッダ部を４バイトに短くすることが可能になり、ヘッダ部による冗長度を少なくしたフォーマットが可能になり、光ディスクの記録容量を飛躍的に増大させる効果がある。
【００８６】
（参考例３）
以下、本発明の参考例３について、図面を参照しながら説明する。図７に本発明の参考例３における光ディスクの構成図を示す。図７は、ＤＶＤＲＡＭＶｅｒ．１およびＶｅｒ．２で用いられているＺＣＬＶ（ゾーンＣＬＶ）のディスクフォーマットのゾーンの境界を示す。図１を参照して前述した光ディスク上に形成されたトラック１００の構成要素と同一の構成要素には同一の参照符号を付している。これらの構成要素の詳細な説明は省略する。
【００８７】
ＺＣＬＶのディスクフォーマットにおいてゾーン境界では各ゾーンの最外周のランドトラックと各ゾーンの最内周のグルーブトラックとが無効トラックあるいは無効セクタとなる。無効セクタでは、記録再生部１１２に情報を記録することが禁止される。
【００８８】
図７に示すように、無効セクタを判別するために、無効セクタ７０８の先頭の第１識別子７０６または第２識別子７０７に識別符号「Ｓ」を割り当てると、識別符号「Ｓ」が複数の連続したセクタで検出された場合にそのセクタが無効セクタであると判断することが可能である。
【００８９】
以上のように識別符号「Ｓ」を表す識別子が複数の連続したセクタに形成されている場合、前記セクタを無効セクタと判断することにより、無効セクタに誤って情報を記録することがなくなり、光ディスクの信頼性向上させる効果がある。
【００９０】
（実施の形態２）
以下、本発明の実施の形態２について、図面を参照しながら説明する。図８に本発明の実施の形態２における光ディスク装置８００の構成を示す。光ディスク装置８００は、半導体レーザ８０２とコリメートレンズ８０３とビームスプリッタ８０４と収束手段８０５と集光レンズ８０６と光検出手段８０７と再生信号演算手段８０８とフォーカス制御手段８０９とトラッキング制御手段８１０とアクチュエータ８１１とアドレス検出手段８１２とレーザ駆動手段８１３とを備える。
【００９１】
次に、再生動作の説明をする。光ディスク８０１は、例えば参考例１で説明した光ディスクであり、光スポットは光ディスク８０１の記録再生部、識別情報部等に収束されて情報が光ディスク８０１から読み出される。
【００９２】
半導体レーザ８０２から出射された光ビームは、コリメートレンズ８０３、ビームスプリッタ８０４、収束手段８０５を通って、光ディスク８０１上に集光される。集光された光スポットは、光ディスク８０１上で反射回折され、収束手段８０５、ビームスプリッタ８０４、集光レンズ８０６を通って、光検出手段８０７に集光される。集光された光は、光検出手段上の各受光素子Ａ，Ｂ，Ｃ，Ｄの光量に応じた電圧信号として光検出手段８０７により出力され、再生信号演算手段８０８は、前記電圧信号を四則演算する。
【００９３】
再生信号演算手段８０８は、フォーカスエラー信号ＦＥをフォーカス制御手段８０９に出力する。再生信号演算手段８０８は、トラッキングエラー信号ＴＥをトラッキング制御手段８１０に出力する。再生信号演算手段８０８は、再生信号ＲＦおよびトラッキングエラー信号ＴＥをアドレス検出手段８１２に出力する。
【００９４】
フォーカス制御手段８０９は、フォーカスエラー信号ＦＥに応じた電圧を出力して、アクチュエータ８１１を駆動し、光スポットを光ディスク８０１面上に焦点位置制御する。トラッキング制御手段８１０は、トラッキングエラー信号ＴＥに応じた電圧を出力し、アクチュエータ８１１を駆動し、光スポットを光ディスク８０１面上の所望のトラック位置にトラッキング位置制御する。
【００９５】
フォーカス制御およびトラッキング制御された光スポットによって、光ディスク上の凹凸のプリピットあるいは、相変化光ディスクの反射率の異なる濃淡のマークとスペースを読み出すことによって、光ディスク上に記録された情報を読み出す。
【００９６】
アドレス検出手段８１２は、再生信号演算手段８０８の出力のうち識別情報部に相当する部位の再生信号ＲＦおよびトラッキングエラーＴＥ信号のパルス幅やパルスのパターンに応じて符号「０」、符号「１」および符号「Ｓ」を検出し、アドレス情報の一部（ＩＤ）としてセクタ単位でメモリに一時的に蓄え、アドレスブロック内の全セクタのＩＤが読み取られると、読み取られた複数のＩＤからアドレス番号を計算し、該当アドレスブロックのアドレス番号を認識する。
【００９７】
（参考例４）
以下、本発明の参考例４について、図面を参照しながら説明する。図９に本発明の参考例４における光ディスクの構成図を示す。図１を参照して前述した光ディスク上に形成されたトラック１００の構成要素と同一の構成要素には同一の参照符号を付している。これらの構成要素の詳細な説明は省略する。
【００９８】
図９を参照して、ランドセクタ１０９Ａは、識別情報部１１１と記録再生部１１２とを含む。グルーブセクタ１１０Ａは、識別情報部１１１と記録再生部１１２とを含む。
【００９９】
各グルーブセクタ１１０Ａの記録再生部１１２には、グルーブトラック１０１が形成されている。各ランドセクタ１０９Ａの記録再生部１１２には、ランドトラック１０２が形成されている。
【０１００】
各グルーブセクタ１１０Ａ内の各識別情報部１１１においてグルーブトラック中心線Ｃ１に対して内周側にシフトした位置には第１識別子１１０８が形成される。各ランドセクタ１０９Ａ内の各識別情報部１１１においてランドトラック中心線Ｃ２に対して内周側にシフトした位置には第２識別子１１０９が形成される。
【０１０１】
図９に示すように、第１識別子１１０８は識別情報部１１１の前半部に形成され、第２識別子１１０９は識別情報部１１１の後半部に形成される。図９に示すように、第１識別子１１０８と第２識別子１１０９とは、千鳥状に配置されたプリピット及びスペースを有している。記録データはランドトラック１０２とグルーブトラック１０１との両方のトラックに記録される。
【０１０２】
記録再生部１１２は識別情報部１１１を挟んで複数のセクタに存在し、複数のランドセクタあるいは複数のグルーブセクタのセクタ群単位で１つのアドレス情報が割当てられている。第１識別子１１０８と第２識別子１１０９とには前記アドレス情報の内の１ビットの情報が予め記録されている。アドレス情報は複数の連続したセクタに記録される第１識別子１１０８と第２識別子１１０９とを組み合わせることでセクタ群のアドレス情報を表記する。
【０１０３】
ランドセクタのアドレス情報のうちの一部（１ビット）を第１識別子１１０８、グルーブセクタのアドレス情報の一部（１ビット）を第２識別子１１０９に割り当てる。ここで、ランドセクタのアドレス情報の一部（１ビット）を第２識別子１１０９、グルーブセクタのアドレス情報の一部（１ビット）を第１識別子１１０８に割り当てても構わない。
【０１０４】
第１識別子１１０８と第２識別子１１０９との物理構成について説明する。図９において、第１識別子１１０８と第２識別子１１０９とのそれぞれは、グルーブトラック中心線Ｃ１あるいはランドトラック中心線Ｃ２に対して千鳥状に配置されたプリピット１１０４とスペース１１０５とを含む。プリピット１１０４の長さは、第１識別子１１０８と第２識別子１１０９とのそれぞれが表す符号に応じて異なっている。図９に示すように第１識別子１１０８のプリピット１１０４の終端エッジ位置は全てのプリピット１１０４で概略一致している。同様に第２識別子１１０９のプリピット１１０４の終端エッジ位置は全てのプリピット１１０４で概略一致している。
【０１０５】
次に、符号の割り当て方について説明する。前記千鳥状に配置されたプリピット１１０４の長さあるいはスペース１１０５の長さに応じて３通りの１ビットの符号を割り当てる。例えば、図９に示すようにスペース１１０５の長さが８Ｔｗの場合の符号を「０」、スペース１１０５の長さが１２Ｔｗの長さの符号を「１」、スペース１１０５の長さが１６Ｔｗの長さの符号を「Ｓ」とする。あるいはスペース１１０５の長さの替わりにプリピット１１０４の長さを基準として、プリピット１１０４の長さが２０Ｔｗの場合の符号を「０」、プリピット１１０４の長さが１６Ｔｗの長さの符号を「１」、プリピット１１０４の長さが１２Ｔｗの長さの符号を「Ｓ」とする。ここで、３通りの符号の割当て方として、スペース１１０５の検出幅が短い順に符号「０」、「１」、「Ｓ」を割り当てたが、符号の割り当て方は、前記の割り当て方にこだわる必要はなく、スペース１１０５の検出幅が長い順に符号「０」、「１」、「Ｓ」を割り当ててもよい。
【０１０６】
また、第１識別子１１０８または第２識別子１１０９の符号が「Ｓ」である場合、符号「Ｓ」はセクタ群のブロックアドレスの先頭を表すので、他の符号を表す第１識別子１１０８または第２識別子１１０９よりも信頼性を上げておくことが好ましい。記録再生部１１２に記録するデータの変調方式がＤＶＤなどで用いられている８×１６変調方式の場合、記録データの最長ランは１４Ｔｗであるため、識別情報部１１１に記録する第１識別子１１０８または第２識別子１１０９の符号「Ｓ」は８×１６変調方式に存在しない１２Ｔｗあるいは１６Ｔｗあるいは２０Ｔｗの長さを用いることにより、識別情報部１１１に記録される第１識別子１１０８または第２識別子１１０９を検出する能力を向上させることができる。
【０１０７】
以上のように識別情報部１１１に記録する第１識別子１１０８または第２識別子１１０９の符号を識別するためにスペース１１０５の長さあるいは千鳥状に配置されたプリピット１１０４の長さに応じて３通りの１ビットの情報を割り当て、複数の識別情報部１１１に渡ってアドレス情報を分散して配置することで従来１２８バイト用いていたヘッダ部を４バイト程度に短くすることが可能になり、ヘッダ部による冗長度を少なくしたフォーマットが可能になり、光ディスクの記録容量を飛躍的に増大させる効果がある。
【０１０８】
また、符号「０」、「１」だけでなく符号「Ｓ」を含めた３つの符号を組み合わせてアドレス情報を構成する本発明において、セクタ群のアドレスの開始位置を符号「Ｓ」によりはっきりさせアドレス情報の読み取り信頼性を向上させるという効果がある。
【０１０９】
次に検出方法について説明する。和信号（分割した光検出器の和信号）を用いて再生する場合、図９に示すような再生波形９０１が得られる。基準時刻を最初の立ち上がりエッジに対応する時刻ｔ１とすると、時刻ｔ１からの次の立ち下がりエッジに対応する時刻ｔ２、ｔ３またはｔ４までの時間間隔を測ることで検出する。この場合、図９に示すように、検出時間幅が８Ｔｗの時は符号「０」、検出時間幅が１２Ｔｗの時は符号「１」、検出時間幅が１６Ｔｗの時は符号「Ｓ」である。
【０１１０】
差信号（トラック方向に分割した光検出器の差信号）を用いて再生する場合、図９に示すような再生波形９０２が得られる。基準時刻を最初の立下りエッジに対応する時刻ｔ２、ｔ３またはｔ４とすると、時刻ｔ２、ｔ３またはｔ４からの次の立ち上がりエッジに対応する時刻ｔ８までの時間間隔を測ることで検出する。この場合、図９に示すように、検出時間幅が２０Ｔｗの時は符号「０」、検出時間幅が１６Ｔｗの時は符号「１」、検出時間幅が１２Ｔｗの時は符号「Ｓ」である。
【０１１１】
差信号の場合、千鳥状に配置されているプリピットの構成上、再生波形９０２は第１識別子１１０８と第２識別子１１０９Ｉとで０レベルに対して上下対称になる。検出基準エッジも第１識別子１１０８と第２識別子１１０９Ｉとでは立ち上がりエッジと立下りエッジとが逆となる。
【０１１２】
（参考例５）
以下、本発明の参考例５について、図面を参照しながら説明する。図１０に本発明の参考例５における光ディスクの構成図を示す。図１を参照して前述した光ディスク上に形成されたトラック１００の構成要素と同一の構成要素には同一の参照符号を付している。これらの構成要素の詳細な説明は省略する。
【０１１３】
図１０を参照して、ランドセクタ１０９Ａは、識別情報部１１１と記録再生部１１２とを含む。グルーブセクタ１１０Ａは、識別情報部１１１と記録再生部１１２とを含む。
【０１１４】
各グルーブセクタ１１０Ａの記録再生部１１２には、グルーブトラック１０１が形成されている。各ランドセクタ１０９Ａの記録再生部１１２には、ランドトラック１０２が形成されている。
【０１１５】
各グルーブセクタ内の各識別情報部１１１においてグルーブトラック中心線Ｃ１に対して内周側にシフトした位置には第１識別子１２０８が形成される。各ランドセクタ１０９Ａ内の各識別情報部１１１においてランドトラック中心線Ｃ２に対して内周側にシフトした位置には第２識別子１２０９が形成される。
【０１１６】
図１０に示すように、第１識別子１２０８は識別情報部１１１の前半部に形成され、第２識別子１２０９は識別情報部１１１の後半部に形成される。図１０に示すように、第１識別子１２０８と第２識別子１２０９とは、千鳥状に配置されたプリピット及びスペースを有している。記録データはランドトラック１０２とグルーブトラック１０１との両方のトラックに記録される。
【０１１７】
記録再生部１１２は識別情報部１１１を挟んで複数のセクタに存在し、複数のランドセクタあるいは複数のグルーブセクタのセクタ群単位で１つのアドレス情報が割当てられている。第１識別子１２０８と第２識別子１２０９とには前記アドレス情報の内の１ビットの情報が予め記録されている。アドレス情報は複数の連続したセクタに記録される第１識別子１２０８と第２識別子１２０９とを組み合わせることでセクタ群のアドレス情報を表記する。
【０１１８】
ランドセクタのアドレス情報のうちの一部（１ビット）を第１識別子１２０８、グルーブセクタのアドレス情報の一部（１ビット）を第２識別子１２０９に割り当てる。ここで、ランドセクタのアドレス情報の一部（１ビット）を第２識別子１２０９、グルーブセクタのアドレス情報の一部（１ビット）を第１識別子１２０８に割り当てても構わない。
【０１１９】
第１識別子１２０８と第２識別子１２０９との物理構成について説明する。図１０において、第１識別子１２０８と第２識別子１２０９とのそれぞれは、グルーブトラック中心線Ｃ１あるいはランドトラック中心線Ｃ２に対して千鳥状に配置されたプリピット１２０４とスペース１２０５とを含む。プリピット１２０４の長さは、第１識別子１２０８と第２識別子１２０９とのそれぞれが表す符号に応じて異なっている。図１０に示すように第１識別子１２０８のプリピット１２０４の始端エッジ位置は全てのプリピット１２０４で概略一致している。同様に第２識別子１２０９のプリピット１２０４の始端エッジ位置は全てのプリピット１２０４で概略一致している。
【０１２０】
次に、符号の割り当て方について説明する。前記千鳥状に配置されたプリピット１２０４の長さあるいはスペース１２０５の長さに応じて３通りの１ビットの符号を割り当てる。例えば、図１０に示すようにプリピット１２０４の長さが１２Ｔｗの場合の符号を「０」、プリピット１２０４の長さが１６Ｔｗの長さの符号を「１」、プリピット１２０４の長さが２０Ｔｗの長さの符号を「Ｓ」とする。あるいはプリピット１２０４の長さの替わりにスペース１２０５の長さを基準として、スペース１２０５の長さが２０Ｔｗの場合の符号を「０」、スペース１２０５の長さが１６Ｔｗの長さの符号を「１」、スペース１２０５の長さが１２Ｔｗの長さの符号を「Ｓ」とする。ここで、３通りの符号の割当て方として、プリピット１２０４の検出幅が短い順に符号「０」、符号「１」、符号「Ｓ」を割り当てたが、符号の割り当て方は、前記の割り当て方にこだわる必要はなく、プリピット１２０４の検出幅が長い順に符号「０」、「１」、「Ｓ」を割り当ててもよい。
【０１２１】
また、第１識別子１２０８または第２識別子１２０９の符号が「Ｓ」である場合、符号「Ｓ」はセクタ群のブロックアドレスの先頭を表すので、他の符号を表す第１識別子１２０８または第２識別子１２０９よりも信頼性を上げておくことが好ましい。記録再生部１１２に記録するデータの変調方式がＤＶＤなどで用いられている８×１６変調方式の場合、記録データの最長ランは１４Ｔｗであるため、識別情報部１１１に記録する第１識別子１２０８または第２識別子１２０９の符号「Ｓ」は８×１６変調方式に存在しない１２Ｔｗあるいは１６Ｔｗあるいは２０Ｔｗの長さを用いることにより、識別情報部１１１に記録される第１識別子１２０８または第２識別子１２０９を検出する能力を向上させることができる。
【０１２２】
以上のように識別情報部１１１に記録する第１識別子１２０８または第２識別子１２０９の符号の識別するためにスペース１２０５の長さあるいは千鳥状に配置されたプリピット１２０４の長さに応じて３通りの１ビットの情報を割り当て、複数の識別情報部１１１に渡ってアドレス情報を分散して配置することで従来１２８バイト用いていたヘッダ部を４バイト程度に短くすることが可能になり、ヘッダ部による冗長度を少なくしたフォーマットが可能になり、光ディスクの記録容量を飛躍的に増大させる効果がある。
【０１２３】
また、符号「０」、符号「１」だけでなく符号「Ｓ」を含めた３つの符号を組み合わせてアドレス情報を構成する本発明において、セクタ群のアドレスの開始位置を符号「Ｓ」によりはっきりさせアドレス情報の読み取り信頼性を向上させるという効果がある。
【０１２４】
次に検出方法について説明する。和信号（分割した光検出器の和信号）を用いて再生する場合、図１０に示すような再生波形１００１が得られる。基準時刻を最初の立下りエッジに対応する時刻ｔ１１とすると、時刻ｔ１１からの次の立ち上がりエッジに対応する時刻ｔ１２、ｔ１３またはｔ１４までの時間間隔を測ることで検出する。この場合、図１０に示すように、検出時間幅が１２Ｔｗの時は符号「０」、検出時間幅が１６Ｔｗの時は符号「１」、検出時間幅が２０Ｔｗの時は符号「Ｓ」である。
【０１２５】
差信号（トラック方向に分割した光検出器の差信号）を用いて再生する場合、図１０に示すような再生波形１００２が得られる。基準時刻を最初の立下りエッジに対応する時刻ｔ１１とすると、時刻ｔ１１からの次の立ち上がりエッジに対応する時刻ｔ１２、ｔ１３またはｔ１４までの時間間隔を測ることで検出する。この場合、図１０に示すように、検出時間幅が１２Ｔｗの時は符号「０」、検出時間幅が１６Ｔｗの時は符号「１」、検出時間幅が２０Ｔｗの時は符号「Ｓ」である。
【０１２６】
差信号の場合、千鳥状に配置されているピットの構成上、再生波形１００２は第１識別子１２０８と第２識別子１２０９とで０レベルに対して上下対称になる。検出基準エッジも第１識別子１２０８と第２識別子１２０９とでは立ち上がりエッジと立下りエッジとが逆となる。
【０１２７】
（参考例６）
以下、本発明の参考例６について、図１１Ａおよび図１１Ｂを参照しながら説明する。図１１Ａに本発明の参考例６における光ディスクの構成図を示す。図１を参照して前述した光ディスク上に形成されたトラック１００の構成要素と同一の構成要素には同一の参照符号を付している。これらの構成要素の詳細な説明は省略する。
【０１２８】
図１１Ａは、アドレス情報の構成を示す。アドレス情報は、記録再生部１１２に記録されたユーザーデータの２ＫＢごとを単位として複数のセクタ１０９Ａ、１０９Ｂ、１０９Ｃ、・・・、１０９Ｄに分散して記録される。各セクタ１０９Ａ、１０９Ｂ、１０９Ｃ、・・・、１０９Ｄの先頭部の識別情報部１１１にはアドレス情報中の１ビットの情報が割り当てられている。アドレス情報はアドレスブロック１０８単位で構成されており、アドレスブロック１０８の単位は例えばＥＣＣブロック単位と一致している。
【０１２９】
図１１Ａの場合、１ＥＣＣブロック単位の中に３２個のセクタがあり、１ＥＣＣブロック単位のユーザー記録容量が２ＫＢ×３２＝６４ＫＢとなっている。アドレス情報は６４ＫＢごとに１つの連続したアドレス番号がつけられている。アドレス番号は、光ディスクの内周のアドレスブロックから外周のアドレスブロックにかけて前記６４ＫＢごとに１ずつ増加していく。
【０１３０】
図１１Ｂは、アドレス情報の内容を説明する図である。情報を記録する情報面が１つ（単層）の光ディスクの場合を説明する。１ＥＣＣブロック単位の中の３２個のセクタにそれぞれ記録される３２個のアドレスビットを使ってアドレス番号を割り当てる。図１１Ｂに示すように、アドレスブロックの先頭はアドレス番号が開始することを表す識別符号「Ｓ」があり、続く１９ビットが実際のアドレス番号を表す情報ビット、続く１２ビットがアドレス番号のパリティビットである。こうすることで（２の１９乗）×６４ＫＢ＝３２ＧＢのアドレス空間を確保できる。
【０１３１】
次に情報を記録する情報面が２つ（二層）の光ディスクの場合を説明する。１ＥＣＣブロック単位の中の３２個のセクタに記録される３２個のアドレスビットを使ってアドレス番号を割り当てる。アドレス番号は二層ディスクの第１の記録層の内周から外周のアドレスブロックにかけて連続したアドレス番号が割り当てられている。また、第２の記録層も同様に内周から外周のアドレスブロックにかけて連続したアドレス番号が割り当てられている。このとき第２層の内周のアドレス番号の開始番号は第１層のアドレス番号の最後の番号から連番になっていても構わないし、あるいは、第２層の内周から新たに番号をふりなおしてもよい。
【０１３２】
図１１Ｂに示すように、アドレスブロックの先頭はアドレス番号が開始することを表す識別符号「Ｓ」があり、続く２０ビットが実際のアドレス番号を表す情報ビット、続く１０ビットがアドレス番号のパリティビット、残り１ビットが記録層の番号を表す層番号である。こうすることで（２の２０乗）×６４ＫＢ＝６４ＧＢのアドレス空間を確保できる。
【０１３３】
また、層番号をアドレス情報に含めることには以下の効果がある。層番号を入れることで、光スポットがフォーカスしている記録層の判別をリアルタイムに行うことが可能である。アドレス番号を読み出すタイミング（６４ＫＢごと）ごとにどちらの記録層に光スポットがフォーカスしているかを層番号を読み出すことで監視できる。これにより、不意の層間ジャンプあるいはイレギュラーのフォーカス飛びを短時間に検出することが可能であり、不意の層間ジャンプあるいはイレギュラーのフォーカス飛びが起こった場合の対応処理をすばやく行うことが可能である。
【０１３４】
また、２層ディスクの場合、参考例４および５で図９および図１０で示したプリピットの長さあるいはスペースの長さを第１層と第２層とで異ならせてもよい。例えば第１層では図９に示したような光ディスクの構成を用い、第２層ではプリピットの長さを一律に２Ｔｗ長くして符号「０」の時のプリピットの長さを２２Ｔｗ、符号「１」の時のプリピットの長さを１８Ｔｗ、符号「Ｓ］の時のプリピットの長さを１４Ｔｗとすることも可能である。こうすることにより、第１層と第２層でプリピットが検出される検出時間幅が同じ符号でも異なることとなり、記録層の誤検出を未然に防ぐことが可能になる。
【０１３５】
また、全ての符号の検出時間幅を第１層と第２層とで異ならすのでなく、符号「Ｓ」を表すプリピットの長さおよびスペースの長さのみを異ならせること、あるいは符号「Ｓ」を表すパターンのみ異ならせることも可能である。
【０１３６】
例えば図１２に示すように、第１層と第２層とで符号「Ｓ」を表すパターンを異ならせることができる。符号「Ｓ」は、第１層に記録される符号「Ｓ１」と第２層に記録される符号「Ｓ２」とを含む。図１２に示すように、符号「Ｓ１」を表すパターン３０５は、プリピット３０５Ａとプリピット３０５Ａの直後に配置されるスペース３０６とを含む。プリピット３０５Ａは、長さＰ１を有する。長さＰ１は検出窓幅Ｔｗの１２倍の長さに相当する。スペース３０６は長さＳ１を有する。長さＳ１は検出窓幅Ｔｗの４倍の長さに相当する。符号「Ｓ２」を表すパターン３０６は、スペース３０６とスペース３０６の直後に配置されるピット３０５Ａとを含む。スペース３０６は長さＳ１を有する。長さＳ１は検出窓幅Ｔｗの４倍の長さに相当する。プリピット３０５Ａは、長さＰ１を有する。長さＰ１は検出窓幅Ｔｗの１２倍の長さに相当する。符号「Ｓ１」は第１層に記録される。符号「Ｓ２」は第２層に記録される。
【０１３７】
このように符号「Ｓ」を表すパターンを第１層と第２層とで異ならせると、アドレスブロックの先頭にある識別符号「Ｓ」を読み出す際に記録層の判別を速やかに行うことが可能である。これにより、不意の層間ジャンプあるいはイレギュラーのフォーカス飛びを短時間に検出することが可能であり、不意の層間ジャンプあるいはイレギュラーのフォーカス飛びが起こった場合の対応処理をすばやく行うことが可能である。
【発明の効果】
【０１３８】
（産業上の利用可能性）
以上のように実施の形態の光記録媒体によれば、識別子が表す符号の識別にＰ１、Ｐ２、Ｓ１という２つのプリピットまたはマークと１つのスペースを用いることで従来１２８バイト用いていたヘッダ部を４バイトに短くすることが可能になり、ヘッダ部による冗長度を少なくしたフォーマットが可能になり、光ディスクの記録容量を飛躍的に増大させる効果がある。
【０１３９】
また、実施の形態の光記録媒体によれば、識別子が表す符号の識別に２種類の符号「０」、「１」だけでなく「Ｓ］を含めた３つの符号を組み合わせてアドレス情報を構成する本発明において、セクタ群のアドレスの開始位置を符号「Ｓ」によりはっきりさせアドレス情報の読み取り信頼性を向上させるという効果がある。
【図面の簡単な説明】
【０１４０】
【図１】  図１は、本発明の参考例１における光ディスク装置の構成図である。
【図２】  図２は、本発明の参考例１における光ディスクのアドレス情報の構成を説明する図である。
【図３】  図３は、本発明の参考例１における光ディスクのＩＤの物理構成を説明する図である。
【図４】  図４は、本発明の参考例１における光ディスクのアドレスブロックの構造を説明する図である。
【図５】  図５は、本発明の参考例２における光ディスクの構成図である。
【図６】  図６は、本発明の実施の形態１における光ディスクの構成図である。
【図７】  図７は、本発明の参考例３における光ディスクの構成図である。
【図８】    図８は、本発明の実施の形態２における光ディスク装置の構成図である。
【図９】    図９は、本発明の参考例４における光ディスクの構成図である。
【図１０】  図１０は、本発明の参考例５における光ディスクの構成図である。
【図１１Ａ】    図１１Ａは、本発明の参考例６における光ディスクのアドレス情報の構成を説明する図である。
【図１１Ｂ】    図１１Ｂは、本発明の参考例６における光ディスクのアドレス情報の内容を説明する図である。
【図１２】  図１２は、本発明の参考例６における光ディスクのＩＤの物理構成を説明する図である。
【図１３】  図１３は、従来の光ディスクの構成図である。
【図１４】  図１４は、従来の光ディスクのセクタ構造を説明する図である。
【図１】
0004737907.tif 000002
【図２】
0004737907.tif 000003
【図３】
0004737907.tif 000004
【図４】
0004737907.tif 000005
【図５】
0004737907.tif 000006
【図６】
0004737907.tif 000007
【図７】
0004737907.tif 000008
【図８】
0004737907.tif 000009
【図９】
0004737907.tif 000010
【図１０】
0004737907.tif 000011
【図１１Ａ】
0004737907.tif 000012
【図１１Ｂ】
0004737907.tif 000013
【図１２】
0004737907.tif 000014
【図１３】
0004737907.tif 000015
【図１４】
0004737907.tif 000016